(57)【特許請求の範囲】
【請求項１】
収納した芯を先端部から出没させる軸筒と、前記軸筒の後端部に軸筒に対して垂直方向に回動可能に設置され、その回動に伴って前記芯を前記軸筒の先端部から出没させるように作用する操作部とから成り、
前記軸筒内に収納された前記芯の芯軸の先端部に、前記芯を没方向に付勢するリターンスプリングが纏装されると共に、前記芯軸の後端部に、前記軸筒の後端部内を軸方向に摺動する従動筒が取り付けられ、前記操作部には、前記軸筒を回動可能に支持する枢支手段と、その回動動作に伴って前記従動筒に作用して前記従動筒を前記軸筒の後端部内を軸方向に摺動させる板カムが配設され、前記板カムの作用で前記従動筒が前記軸筒内に引っ込む方向に摺動することにより前記芯が繰り出され、前記板カムの作用で前記従動筒が前記軸筒から出る方向に摺動することにより前記芯が没状態となり、前記軸筒は、それを挿入支持する挿入支持部を備えたクリップによって支持され、前記操作部は動物の頭部を模した形態にされ、前記クリップは前記動物の胴部を模した形態にされ、前記軸筒の先端部は前記動物の尾部に対応する形態にされることを特徴とする筆記具。
【請求項２】
前記操作部の前記軸筒の後端部を受け入れる挿入開口の両側に、内方向に延びて前記軸筒の回動角度を規制する当接板が配設され、前記軸筒が一方の前記当接板に当接するときに前記芯の没状態が維持され、前記軸筒が他方の前記当接板に当接するときに前記芯の出状態が維持される、請求項１に記載の筆記具。
【請求項３】
前記板カムは、前記操作部を構成するピースの内側面に形成される第１端係合部と、そこから延びる円弧部と、前記円弧部の端部に連設される第２端係合部と、前記第２端係合部から前記ピースの内側面に延びる支持部とから成り、前記従動筒の先端突部が前記第１端係合部に係合している時に前記芯の没状態が維持され、前記従動筒の先端突部が前記第２端係合部に係合している時に前記芯の出状態が維持される、請求項１又は２に記載の筆記具。
【請求項４】
前記操作部の前記枢支手段は、前記軸筒の周面に形成される凹凸部に対応して係合する凹凸部である、請求項１乃至３のいずれかに記載の筆記具。
【請求項５】
前記クリップは、前記軸筒を挿入保持した状態において起立可能にされる、請求項１乃至４のいずれかに記載の筆記具。
【発明の詳細な説明】
【技術分野】
【０００１】
本発明は筆記具に関するものであり、より詳細には、芯を軸の先端から出没させるタイプのボールペン等の筆記具で、その芯の繰り出し操作を、従来のノック式あるいは回転式とは異なる方法によって行うことができて、使用者の興味をそそる形態となし得る筆記具に関するものである。
【背景技術】
【０００２】
ボールペン等の芯をペン先から出没させるタイプの筆記具としては、軸筒の頭部に配置され、あるいは、軸筒の上部側面から飛び出るように配置されたノックを親指で押下し又は引き下げるタイプの、いわゆるノック式のものが一般的である。このノック式ペンとしては、ノックを動物やキャラクター等の頭部に見立てたり、更に軸部をその頭部に対応する胴部として表現したもの等、種々工夫を凝らしたデザインのものが出回っている（例えば、実公平７−２１３５３号公報参照）。
【０００３】
例えば、本出願人は先に、デザイン上の特徴を持たせるために、軸筒の上部側面から飛び出るように配置された一対のノックを大きくして動物やキャラクター等の耳やカエルの目等に見立て、軸筒の上端部に当該動物やキャラクター等の顔をあしらったデザインの製品（通称、耳ノックペン）を提案して製品化しているが、使用者が興味を抱いて操作し得る筆記具として、好評を博している（特開２０１０−１２７４３号公報）。
【０００４】
しかし、このような興趣あるデザインのノック式ペンであっても、芯の出し入れは、結局はノックを親指で押下し又は引き下げることによるのであって、その芯繰り出し操作自体は何ら代わり映えしないものである。また、軸筒の上部を下部に対して回転させることによって芯を出没させるタイプのものもあるが、その場合は比較的構造が複雑になってコスト高になりやすく、一般的ではない。
【先行技術文献】
【特許文献】
【０００５】
【特許文献１】実公平７−２１３５３号公報
【特許文献２】特開２０１０−１２７４３号公報
【発明の概要】
【発明が解決しようとする課題】
【０００６】
上述したように、従来のノック式ペンにおける芯の繰り出し操作は、軸筒の頭部に配置され、あるいは、軸筒の上部側面から飛び出るように配置されたノックを親指で押下し又は引き下げるというもので、その操作自体は代わり映えしないものである。そこで本発明は、芯の出没操作を従来にない新規な方法によって、変化を楽しみつつ行うことができ、種々の興味をそそる形態に仕上げることができる筆記具を提供することを課題とする。
【課題を解決するための手段】
【０００７】
上記課題を解決するための請求項１に係る発明は、収納した芯を先端部から出没させる軸筒と、前記軸筒の後端部に軸筒に対して垂直方向に回動可能に設置され、その回動に伴って前記芯を前記軸筒の先端部から出没させるように作用する操作部とから成り、前記軸筒内に収納された前記芯の芯軸の先端部に、前記芯を没方向に付勢するリターンスプリングが纏装されると共に、前記芯軸の後端部に、前記軸筒の後端部内を軸方向に摺動する従動筒が取り付けられ、前記操作部には、前記軸筒を回動可能に支持する枢支手段と、その回動動作に伴って前記従動筒に作用して前記従動筒を前記軸筒の後端部内を軸方向に摺動させる板カムが配設され、前記板カムの作用で前記従動筒が前記軸筒内に引っ込む方向に摺動することにより前記芯が繰り出され、前記板カムの作用で前記従動筒が前記軸筒から出る方向に摺動することにより前記芯が没状態となり、前記軸筒は、それを挿入支持する挿入支持部を備えたクリップによって支持され、前記操作部は動物の頭部を模した形態にされ、前記クリップは前記動物の胴部を模した形態にされ、前記軸筒の先端部は前記動物の尾部に対応する形態にされることを特徴とする筆記具である。
【０００８】
一実施形態においては、前記操作部の前記軸筒の後端部を受け入れる挿入開口の両側に、内方向に延びて前記軸筒の回動角度を規制する当接板が配設され、前記軸筒が一方の前記当接板に当接するときに前記芯の没状態が維持され、前記軸筒が他方の前記当接板に当接するときに前記芯の出状態が維持されるようにされる。
【０００９】
一実施形態においては、前記板カムは、前記操作部を構成するピースの内側面に形成される第１端係合部と、そこから延びる円弧部と、前記円弧部の端部に連設される第２端係合部と、第２端係合部から前記ピースの内側面に延びる支持部とから成り、前記従動筒の先端突部が前記第１端係合部に係合している時に前記芯の没状態が維持され、前記従動筒の先端突部が前記第２端係合部に係合している時に前記芯の出状態が維持されるようにされる。また、前記操作部の前記枢支手段は、前記軸筒の周面に形成される凹凸部に対応して係合する凹凸部とされる。
【００１０】
一実施形態においては、前記クリップは、前記軸筒を挿入保持した状態において起立可能にされる。
【発明の効果】
【００１１】
本発明に係る筆記具は上記構成であるため、芯の出没操作を、軸筒に対して操作部を垂直方向に回動させるという従来にない方法によって、変化を楽しみつつ行うことができ、例えば、操作部を動物の頭部にデザインし、首を振るが如き動きにて芯を出没させることができるので、大いに使用者の興味をそそる筆記具となし得る効果がある。
【００１２】
請求項５乃至８に係る発明においては、クリップを立てて筆記具を支持することができ、前記操作部を動物の頭部を模したデザインとし、前記クリップを前記動物の胴部を模したデザインとすることにより、クリップの起立状態において四足で立った動物を表現することができ、その興趣あるデザインを楽しむことができる効果がある。
【図面の簡単な説明】
【００１３】
【図１】本発明に係る筆記具の一実施形態の構成を示す斜視図である。
【図２】本発明に係る筆記具の一実施形態における軸筒部分の構成を示す分解斜視図である。
【図３】本発明に係る筆記具の一実施形態における芯の出し入れ操作の第１の工程（芯が引っ込んだ状態）を示す図である。
【図４】本発明に係る筆記具の一実施形態における芯の出し入れ操作の第２の工程（芯が出掛かった状態）を示す図である。
【図５】本発明に係る筆記具の一実施形態における芯の出し入れ操作の第３の工程（芯が出切った状態）を示す図である。
【図６】本発明に係る筆記具の一実施形態におけるクリップの使用方法を示す図である。
【図７】本発明に係る筆記具のそれぞれ異なる表現形態を示す図である。
【発明を実施するための形態】
【００１４】
本発明の実施の形態を、添付図面に依拠して説明する。本発明に係る筆記具は、収納した芯２を先端部から繰り出す軸筒１と、軸筒１の後端部に、軸筒１に対して垂直方向に回動可能に取り付けられ、その回動動作に伴って芯２を出没させるように作用する操作部２１とから成る。
【００１５】
軸筒１の先端には、ネジ手段によって脱着可能にしたトップ５が取り付けられる。トップ５の先端面には、芯２を出没させるための開口６が形成され、また、その内部に、先端部において芯２を支持する芯軸３の先端部に纏装されてトップ５内に挿入されるリターンスプリング８の下面を受け止める段部７が形成される。リターンスプリング８の上面は、芯軸３の側面に形成される突部４によって押さえ止められる。リターンスプリング８は、常時、芯２が開口６内に引き込まれる方向（図２において左方向）に移動するように付勢する。
【００１６】
軸筒１の後端部（図２において左端部）内に、カムフォロアとして機能する従動筒９が摺動可能に嵌装される。従動筒９は、例えば、先端部に円錐状の先端突部１０を形成した円筒形状に形成され、軸筒１の後端部内に嵌装された際に、その内部に芯軸３の後端部が差し込まれることにより芯軸３に取り付けられ、芯軸３と一体となって軸方向に移動する。
【００１７】
軸筒１の後端部の側面（通例、両側面）には、後述する操作部２１を回動可能に枢支するための手段である凹凸部が形成される。図示した例の凹凸部は、操作部２１に形成される突部２２が嵌合する枢支孔１１（貫通していてもいなくてもよい。）とされているが、この枢支手段における凹凸関係は逆であってもよい。即ち、軸筒１の側に突部を形成し、操作部２１の側に、この突部が嵌合する枢支孔を設けることとしてもよい。
【００１８】
操作部２１は、上記突部２２を軸に、軸筒１に対して回動可能に取り付けられるものであり、通例、ほぼ対称形状に形成された２つのピース２３を合接して構成される。各ピース２３の内面には、上記突部２２が形成されると共に、その合接を容易にするための、互いに係合し合う係合手段（凹凸部）２４が１又は複数形成される。操作部２１は、組立て時に両側から軸筒１の枢支孔１１に嵌合することにより、軸筒１の端部に回動自在に取り付けられる。
【００１９】
更に、一方又は双方（通例、双方）のピース２３の内側面に、操作部２１の回動動作に伴って従動筒９に作用し、従動筒９を軸筒１の後端部内において軸方向に摺動させる板カム２５が配設される。板カム２５は、ピース２３の内側面に形成される第１端係合部２６と、そこから延びる円弧部２７と、円弧部２７の端部に連設される第２端係合部２８と、第２端係合部２８からピース２３の内側面に延びる支持部２９とから成る。
【００２０】
第１端係合部２６と第２端係合部２８は、従動筒９の先端突部１０が嵌合する凹陥部とされ、先端突部１０が第１端係合部２６に収まっている時に芯２の開口６からの没状態が維持される（図３参照）。そして、操作部２１の回動に伴って先端突部１０が第１端係合部２６を脱し、円弧部２７に摺接しつつ移動するにつれ、芯２が次第に開口６から露出し（図４参照）、やがて先端突部１０が第２端係合部２８に収まるに至って芯２が出切り、その出状態が維持されて筆記に供される（図５参照）。
【００２１】
操作部２１は、ピース２３、２３を合接した際に形成される、軸筒１の後端部を受け入れる挿入開口３０を有するが、この挿入開口３０の両側に、軸筒１の回動端を規制するための、換言すれば、板カム２５の第１端係合部２６並びに第２端係合部２８にそれぞれ対応する当接板３１、３２が、内方に延びるようにハの字状に配設される。即ち、一方の側の当接板３１は第１端係合部２６に対応していて、先端突部１０が第１端係合部２６に嵌合した際に軸筒１が当接板３１に当接して芯の没状態が維持され（図３の状態）、他方の側の当接板３２は第２端係合部２８に対応していて、先端突部１０が第２端係合部２８に嵌合した際に軸筒１が当接板３２に当接して芯の出状態が維持される（図５の状態）。
【００２２】
上記構成の筆記具（筆記具本体）は、上述したようにして芯２を繰り出し、軸筒１を持って筆記に供するが、一実施形態においては、筆記具本体は、その軸筒１を挿入支持する挿入支持部を備えたクリップ４１によって支持させることができる。クリップ４１は、軸筒１を挿入支持した状態において起立可能に形成することにより、物を挟持するというクリップ本来の機能の他に、スタンドとしての機能を果たすように構成することができる。
【００２３】
クリップ４１は、一般のクリップと同様に、一対の側板４２、４３と、側板４２、４３間に配置されるＵ字状の板バネ４４で構成される（図１、６参照）。各側板４２、４３には、軸筒１の挿入支持部となる、軸筒挿入口４７を設けた軸支板４５、４６がそれぞれ一対形成される。軸支板４５と軸支板４６は、その一方の軸筒挿入口４７の周縁に設けた環状溝に、その他方の軸筒挿入口４７の周縁に設けた環状突条を係合させることにより、相対的に回動可能に結合され、その連通した軸支板４５と軸支板４６の軸筒挿入口４７を通して軸筒１の挿入が可能となる。
【００２４】
上部内面に板バネ４４の端部が固定されている側板４２、４３は、その上部を押し摘まむことにより、係合し合う環状溝と環状突条を軸にして開閉動作し、クリップ本来の挟持機能を果たすので、クリップ４１は、筆記具本体を支持した状態で、あるいは、単独で、ノートの端部その他任意の個所に挟み置くことができる。
【００２５】
クリップ４１の側板４２、４３は任意の形状とすることができ、例えば、下端部を水平に延長して平坦部４８を設けることにより、起立可能にすることができる。また、筆記具とクリップ４１の組み合わせにて、例えば、動物を表現することができる。その場合、操作部２１を以て動物の頭部を表現し、クリップ４１を以てその頭部に対応する胴部を表現し、また、突出する軸筒１の先端部を以てその尾を表現するようにデザインすることができる。
【００２６】
例えば、図７の（Ａ）では、クマが表現され、（Ｂ）ではパンダが表現され、（Ｃ）では、首を傾げたトラが表現されている。このように、操作部２１とクリップとを対応する形態に仕上げることにより、全体視において、種々の動物やキャラクターを表現することができ、種々の興趣あるデザインのスタンド型筆記具を提供することが可能となる。
【００２７】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２８】
１    軸筒
２    芯
３    芯軸
５    トップ
６    開口
７    段部
８    リターンスプリング
９    従動筒
１０    先端突部
１１    枢支孔
２１    操作部
２２    突部
２３    ピース
２５    板カム
２６    第１端係合部
２７    円弧部
２８    第２端係合部
２９    支持部
３０    挿入開口
３１、３２    当接板
４１    クリップ
４２、４３    側板
４４    板バネ
４５、４６    軸支板
４７    軸筒挿入口
【図１】
0005502832.tif 000002
【図２】
0005502832.tif 000003
【図３】
0005502832.tif 000004
【図４】
0005502832.tif 000005
【図５】
0005502832.tif 000006
【図６】
0005502832.tif 000007
【図７】
0005502832.tif 000008